(57)【要約】【課題】電子機器における表示画面の切り替え設定に関係なく、容易且つ迅速な設定操作を可能とすること。【解決手段】電子機器１は、ユーザ操作に応じて表示手段４２に表示する画面を切り替えて設定画面を表示させるものである。この電子機器１の取得手段５６は、マニュアル４を読取手段３で読み取ることにより生成される読取位置情報であって、マニュアル４中の読取位置を示すものを取得する。記憶手段４６は、マニュアル４に掲載される記事に対応する設定画面のデータを、マニュアル４の読取位置により選択可能に記憶する。選択手段５７は、読取位置情報を用いて、記憶手段４６から、読取手段３により読み取られた位置に掲載される記事に対応する設定画面のデータを選択する。制御手段５８は、読取手段３によりマニュアル４が読み取られた場合、選択手段５７により選択された設定画面を表示手段４２に表示させる。【選択図】図３
2008299469.tif 000002
【特許請求の範囲】
【請求項１】
ユーザ操作に応じて表示手段に表示する画面を切り替えて設定画面を表示させる電子機器であって、
上記電子機器のユーザ操作を説明するマニュアルを読取手段で読み取ることにより生成される読取位置情報であって、上記マニュアル中の読取位置を示すものを取得する取得手段と、
上記マニュアルに掲載される記事に対応する上記設定画面のデータを、上記マニュアルの読取位置により選択可能に記憶する記憶手段と、
上記読取位置情報を用いて、上記記憶手段から、上記読取手段により読み取られた位置に掲載される記事に対応する上記設定画面のデータを選択する選択手段と、
上記読取手段により上記マニュアルが読み取られた場合、上記選択手段により選択された設定画面を上記表示手段に表示させる制御手段と、
を有することを特徴とする電子機器。
【請求項２】
前記マニュアルの読み取りに基づいて前記表示手段に表示される前記設定画面は、ユーザが設定値を入力する操作をするための設定画面であること、を特徴とする請求項１記載の電子機器。
【請求項３】
前記表示手段に前記設定画面が表示されている状態において、前記取得手段が前記読取手段による軌跡を示す複数の読取位置情報を取得した場合に、その複数の読取位置情報に基づいて特定される設定値を設定する設定手段を有すること、
を特徴とする請求項１または２記載の電子機器。
【請求項４】
ユーザによる画面の切替操作があった場合に、所定の画面の切り替え順により前記表示手段に表示させる画面を切り替える切替指示を前記制御手段へ入力する入力手段と、
前記読取手段により前記マニュアルが読み取られた場合、その読取時の画面から前記選択手段により選択された設定画面へ順番に切り替えるための１または複数の切替指示を前記制御手段へ供給する読取指示供給手段と、を有し、
前記制御手段は、上記読取指示供給手段の複数の切替指示に基づいて前記表示手段に表示させる画面を複数回切り替え、その切り替わりが終えた時点で、前記選択手段により選択された設定画面を前記表示手段に表示させること、
を特徴とする請求項１から３の中のいずれか１項記載の電子機器。
【請求項５】
前記制御手段は、前記読取指示供給手段による複数の切替指示の処理中には、前記入力手段による切替指示を無効とすること、
を特徴とする請求項４記載の電子機器。
【請求項６】
ユーザ操作に応じて表示手段に表示する画面を切り替えて設定画面を表示させる電子機器の画面切替方法であって、
上記電子機器のユーザ操作を説明するマニュアルを読取手段で読み取ることにより生成される読取位置情報であって、上記マニュアル中の読取位置を示すものを取得するステップと、
上記マニュアルに掲載される記事に対応する上記設定画面のデータを、上記マニュアルの読取位置により選択可能に記憶する記憶手段から、上記読取位置情報を用いて、上記読取手段により読み取られた位置に掲載される記事に対応する上記設定画面のデータを選択するステップと、
上記読取手段により上記マニュアルが読み取られた場合、選択された上記設定画面を上記表示手段に表示させるステップと、
を有することを特徴とする電子機器の画面切替方法。
【発明の詳細な説明】
【技術分野】
【０００１】
本発明は、電子機器およびその画面切替方法に関する。
【背景技術】
【０００２】
特許文献１は、電子ペンにより地図帳の地図を読み取り、その読み取られた地図上の地点を目的地などとして利用するナビゲーションシステムを開示する。
【０００３】
特許文献２は、電子ペンを用いて指定された用紙上の紙面情報を抽出し、コマンドデータベースを参照して用紙に記入されたコマンドに対応するコマンド実行情報を検索し、編集処理を実行する編集システムを開示する。
【０００４】
特許文献３は、問題用紙、カタログ、書籍、マニュアルなどに利用できるマーク用紙を開示する。また、特許文献３には、マーク用紙をマニュアルに利用した場合、マニュアル中の写真や挿絵を電子ペンによりチェックすると、その下に印刷されたＩＤ付き送信コマンドが読み取られてパソコンへ送られること、パソコンではそれを識別してその写真や挿絵に関係した動画像を音声付でディスプレイすること、が記載されている。
【０００５】
【特許文献１】特開２００３−２８７４３２号公報（要約、発明の実施の形態など）
【特許文献２】特開２００５−３４６４１５号公報（要約など）
【特許文献３】特開２００５−３３２３５１号公報（段落００３６、要約など）
【発明の開示】
【発明が解決しようとする課題】
【０００６】
カーナビゲーション装置などの電子機器では、多機能化、汎用化などが著しい。そのため、たとえばカーナビゲーション装置において目的地設定や３Ｄ（Ｄｉｍｅｎｓｉｏｎ）地図の俯瞰角度設定などの、互いに関連性の無い各種の設定操作が容易となるように、電子機器においては、設定項目を分類し、その分類にしたがって設定項目が選択できるようになっている。また、電子機器に付属するマニュアルが辞書並みの厚さとなったり、ＣＤ−ＲＯＭ（Ｃｏｍｐａｃｔ  Ｄｉｓｋ  Ｒｅａｄ  Ｏｎｌｙ  Ｍｅｍｏｒｙ）などの記録媒体によりマニュアルが提供されたりしている。
【０００７】
このような環境下では、ユーザは、マニュアルを参照しながら電子機器の表示画面を切り替え、所望の設定画面が表示されるように操作をしなければならない。時に、この所望の設定画面を表示させるための操作は、複雑であり、難解である。また、ユーザによっては、マニュアルが辞書並みの厚さであることに辟易したり、車内に分厚いマニュアルを常備したくなかったりするため、マニュアルを利用することを諦めて、適当に操作して所望の設定画面を探し当てて設定操作をしていることもある。メーカにおいても、表示画面の切り替え操作が直感的に判りやすくなるように工夫をこらしているが、万人にとって判りやすいものであると言い切れる程にはなっていない。
【０００８】
そして、いずれの場合においても、ユーザは、ある設定をしようとする場合には、必ず、まず、設定項目の選択画面から所望の項目を選択して、所望の設定画面が表示されるように操作をしなければならない。所望の項目の設定画面が表示されるように、設定項目選択画面の切り替え操作をしなければならない。
【０００９】
このような現状に鑑み、本願発明者らは、鋭意研究を重ねた。そして、本願発明者らは、マニュアルを電子ペンにより読み取るようにすることで、電子機器における表示画面の切り替え設定に関係なく設定画面を表示させることが可能となることを見出し、本発明を完成するに至った。
【００１０】
なお、上述した特許文献１のナビゲーションシステムは、地図帳を電子ペンにより読み取ることにより目的地を設定するものであり、特許文献２の編集システムは、指定用紙を電子ペンにより読み取ることにより実行コマンドを設定するものであり、特許文献３は、マニュアルを電子ペンにより読み取ることにより、読み取った写真や挿絵に関係した動画像を音声付でディスプレイするためのものである。すなわち、これらの特許文献は、電子ペンにより各種の設定をすることを開示している。
【００１１】
本発明は、電子機器における表示画面の切り替え設定に関係なく、容易且つ迅速な設定操作が可能な電子機器およびその画面切替方法を得ることを目的とする。
【課題を解決するための手段】
【００１２】
本発明に係る電子機器は、ユーザ操作に応じて表示手段に表示する画面を切り替えて設定画面を表示させるものである。そして、この電子機器は、電子機器のユーザ操作を説明するマニュアルを読取手段で読み取ることにより生成される読取位置情報であって、マニュアル中の読取位置を示すものを取得する取得手段と、マニュアルに掲載される記事に対応する設定画面のデータを、マニュアルの読取位置により選択可能に記憶する記憶手段と、読取位置情報を用いて、記憶手段から、読取手段により読み取られた位置に掲載される記事に対応する設定画面のデータを選択する選択手段と、読取手段によりマニュアルが読み取られた場合、選択手段により選択された設定画面を表示手段に表示させる制御手段と、を有する。
【００１３】
本発明に係る電子機器は、上述した発明の構成に加えて以下の特徴を有するものである。すなわち、マニュアルの読み取りに基づいて表示手段に表示される設定画面は、ユーザが設定値を入力する操作をするための設定画面である。
【００１４】
本発明に係る電子機器は、上述した発明の各構成に加えて以下の特徴を有するものである。すなわち、電子機器は、さらに、表示手段に設定画面が表示されている状態において、取得手段が読取手段による軌跡を示す複数の読取位置情報を取得した場合に、その複数の読取位置情報に基づいて特定される設定値を設定する設定手段を有する。
【００１５】
本発明に係る電子機器は、上述した発明の各構成に加えて以下の特徴を有するものである。すなわち、電子機器は、さらに、ユーザによる画面の切替操作があった場合に、所定の画面の切り替え順により表示手段に表示させる画面を切り替える切替指示を制御手段へ入力する入力手段と、読取手段によりマニュアルが読み取られた場合、その読取時の画面から選択手段により選択された設定画面へ順番に切り替えるための１または複数の切替指示を制御手段へ供給する読取指示供給手段と、を有する。そして、制御手段は、読取指示供給手段の複数の切替指示に基づいて表示手段に表示させる画面を複数回切り替え、その切り替わりが終えた時点で、選択手段により選択された設定画面を表示手段に表示させる。
【００１６】
本発明に係る電子機器は、上述した発明の各構成に加えて以下の特徴を有するものである。すなわち、制御手段は、読取指示供給手段による複数の切替指示の処理中には、入力手段による切替指示を無効とする。
【００１７】
本発明に係る電子機器の画面切替方法は、ユーザ操作に応じて表示手段に表示する画面を切り替えて設定画面を表示させるものである。そして、この電子機器の画面切替方法では、電子機器のユーザ操作を説明するマニュアルを読取手段で読み取ることにより生成される読取位置情報であって、マニュアル中の読取位置を示すものを取得するステップと、マニュアルに掲載される記事に対応する設定画面のデータを、マニュアルの読取位置により選択可能に記憶する記憶手段から、読取位置情報を用いて、読取手段により読み取られた位置に掲載される記事に対応する設定画面のデータを選択するステップと、読取手段によりマニュアルが読み取られた場合、選択された設定画面を表示手段に表示させるステップと、を有する。
【発明の効果】
【００１８】
本発明では、読取手段によるマニュアルの読み取りに基づいて、読取手段により読み取られた位置に掲載される記事に対応する設定画面を表示手段に表示させる。したがって、本発明では、電子機器における表示画面の切り替え設定に関係なく、容易且つ迅速な設定操作が可能である。
【発明を実施するための最良の形態】
【００１９】
以下、本発明の実施の形態に係る電子機器およびその画面切替方法を、図面に基づいて説明する。電子機器は、カーナビゲーションシステムを例として説明する。電子機器の画面切替方法は、カーナビゲーションシステムにおける動作の一部として説明する。
【００２０】
図１は、本発明の実施の形態に係るカーナビゲーションシステム１を示すシステム構成図である。カーナビゲーションシステム１は、電子機器の一種であり、ナビゲーション本体２と、ナビゲーション本体２と通信する電子ペン３と、カーナビゲーションシステム１のマニュアル４と、を有する。なお、図１において、電子ペン３とナビゲーション本体２とは通信ケーブル５により接続されているが、電子ペン３とナビゲーション本体２とは無線通信により通信可能となっていてもよい。
【００２１】
図２は、図１中のマニュアル４の紙面の説明図である。マニュアル４は、このカーナビゲーションシステム１の操作説明書であり、カーナビゲーションシステム１のすべての機能を詳細に説明したものであっても、主な機能を抜粋して説明したものであってもよい。
【００２２】
図２（Ａ）は、図１中のマニュアル４の１枚のページ１１を示すものであり、ここではカーナビゲーションシステム１の各種の機能を説明する目次が可読記事として印刷されている。
【００２３】
このカーナビゲーションシステム１では、ユーザは、カーナビゲーションシステム１の各種の機能を設定することができる。このような機能の設定項目としては、図２（Ａ）の目次に示されるように、たとえば地図の表示の仕方、車両登録などがある。また、地図の表示の仕方の設定項目としては、詳しくは、地図を三次元で表示するかあるいは二次元で表示するかを設定するための項目や、三次元地図表示における俯角などがある。
【００２４】
このようにユーザ設定可能な項目を設けることにより、カーナビゲーションシステム１を各ユーザにとって使いやすいものとすることができ、商品価値を高めることができる。また、ユーザは、このカーナビゲーションシステム１に対して、経路探索機能の目的地を設定したり、経路探索の条件（たとえば距離優先、一般道優先などの条件）を設定したりすることもできる。
【００２５】
図２（Ｂ）は、図２（Ａ）の目次（可読記事）と重ねてページ１１に印刷される、電子ペン３により読取可能なドットパターン１２を示す図である。マニュアル４の各紙面には、図２（Ｂ）に示すようなドットパターン１２がそれぞれのページ１１の可読記事（たとえば俯角設定画面６３の説明など）と重ねて印刷されている。
【００２６】
ドットパターン１２は、たとえば赤外線を吸収するインクでシートに印刷され、たとえば６×６個のドットにより紙面中の各位置を示す座標値へ変換可能なものである。この座標値は、たとえば図２での紙面の右上角を基準とした二次元の座標値（ｘ，ｙ）である。
【００２７】
なお、図２（Ａ）中において点線枠で示すように、図２（Ａ）中の「地図表示の選択（２Ｄ，３Ｄ）」の文字の左上角に対応するドットにコード化された座標値は（ｘ１１，ｙ１１）であり、右下角に対応するドットにコード化された座標値は（ｘ１２，ｙ１２）である。また、図２（Ａ）中の「俯角設定」の文字の左上角に対応するドットにコード化された座標値は（ｘ２１，ｙ２１）であり、右下角に対応するドットにコード化された座標値は（ｘ２２，ｙ２２）である。
【００２８】
図３は、図１のカーナビゲーションシステム１の詳細な構成を示すブロック図である。
【００２９】
読取手段としての電子ペン３は、図１に示すようにペン形状のハウジングを有する。そのハウジング内には、図３に示すように、赤外線ＬＥＤ（Ｌｉｇｈｔ  Ｅｍｉｔｔｉｎｇ  Ｄｉｏｄｅ）２１、赤外線カメラ２２、通信Ｉ／Ｆ（Ｉｎｔｅｒ  Ｆａｃｅ）２３、これらが接続されるマイクロコンピュータ２４、これらに給電する図示外のバッテリなどを有する。
【００３０】
赤外線カメラ２２は、たとえば赤外線用のＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）センサであり、受光した赤外線のパターンデータをマイクロコンピュータ２４へ周期的に出力する。そして、赤外線ＬＥＤ２１および赤外線カメラ２２は、電子ペン３のペン先に向けて配設される。これにより、電子ペン３の赤外線カメラ２２は、赤外線ＬＥＤ２１がペン先に向けて照射した赤外線の紙面による反射光を受光し、そのペン先付近のドットパターン１２を周期的に読取ることができる。
【００３１】
通信Ｉ／Ｆ２３は、たとえばＵＳＢ（Ｕｎｉｖｅｒｓａｌ  Ｓｅｒｉａｌ  Ｂｕｓ）Ｉ／Ｆである。ＵＳＢＩ／Ｆは、ＵＳＢケーブル（通信ケーブル５）により接続された他の機器のＵＳＢＩ／Ｆ（ここではナビゲーション本体２の通信Ｉ／Ｆ４１）との間で通信データを送受信する。なお、通信Ｉ／Ｆ２３は、この他にもたとえばＥ／Ｎ（Ｅｔｈｅｒｎｅｔ（登録商標））ケーブルなどの通信ケーブル５により他の機器と接続されることにより通信をするものであっても、所謂ブルートゥース、赤外線通信、無線ＬＡＮ（Ｌｏｃａｌ  Ａｒｅａ  Ｎｅｔｗｏｒｋ）などにより他の機器と通信をするものであってもよい。
【００３２】
電子ペン３のマイクロコンピュータ２４は、時刻や経過時間などを計測するタイマ２６、メモリ２７、図示外のＣＰＵ（Ｃｅｎｔｒａｌ  Ｐｒｏｃｅｓｓｉｎｇ  Ｕｎｉｔ）などを有する。メモリ２７は、読取データ２８などの各種のデータを記憶する。ＣＰＵは、メモリ２７に記憶される図示外のプログラムを読み込んで実行する。これにより、電子ペン３のマイクロコンピュータ２４には、座標読取部２９、送信部３０などの機能が実現される。
【００３３】
座標読取部２９は、赤外線カメラ２２から周期的に供給される各パターンデータを解析し、各パターンデータにコード化されている読取座標値を生成する。座標読取部２９は、生成した読取座標値に、タイマ２６で計測される現在時刻を対応付けてメモリ２７へ保存する。これにより、メモリ２７には、読取データ２８が記憶される。したがって、読取データ２８は、座標読取部２９が生成した複数の読取座標値からなる筆跡データと、各読取座標値の読取時刻を示す複数の時刻情報とにより構成されている。なお、読取データ２８は、この他にも筆圧データなどを有するものであってもよい。
【００３４】
送信部３０は、電子ペン３の通信Ｉ／Ｆ２３による通信を管理する。送信部３０は、メモリ２７に記憶させる読取データ２８を、送信する通信データとして電子ペン３の通信Ｉ／Ｆ２３へ供給する。
【００３５】
ナビゲーション本体２は、自動車などの車両のセンターコンソールやダッシュボードなどに設置されるものである。なお、ナビゲーション本体２は、車両に固定的に設置されるものであっても、車両に対して着脱可能に設置されるものであってもよい。そして、ナビゲーション本体２は、図３に示すように、通信Ｉ／Ｆ４１、表示手段としての液晶デバイス４２、タッチパネルなどの入力手段しての入力デバイス４３、ＧＰＳ（Ｇｌｏｂａｌ  Ｐｏｓｉｔｉｏｎｉｎｇ  Ｓｙｓｔｅｍ）衛星からの電波を受信する図示外のＧＰＳ受信デバイス、これらが接続されるマイクロコンピュータ４４などを有する。
【００３６】
ナビゲーション本体２のマイクロコンピュータ４４は、記憶手段としてのメモリ４６、図示外のＣＰＵなどを有する。メモリ４６は、受信データ４７、変換テーブル４８、画面データベース４９、切替テーブル５０、設定データ５１などのデータを記憶する。ＣＰＵは、メモリ４６に記憶される図示外のプログラムを読み込んで実行する。これにより、ナビゲーション本体２のマイクロコンピュータ４４には、受信部５６、変換部５７、制御部５８などの機能が実現される。
【００３７】
なお、上述した電子ペン３のメモリ２７に記憶されるプログラムおよびナビゲーション本体２のメモリ４６に記憶されるプログラムは、これらの機器の出荷前にメモリ２７，４６に記憶されたものであっても、これらの機器の出荷後にメモリ２７，４６に記憶されたものであってもよい。また、メモリ２７，４６に記憶されるプログラムの一部が、これらの機器の出荷後に記憶されたものであってもよい。このように出荷後にメモリ２７，４６に記憶されるプログラムは、たとえばＣＤ−ＲＯＭ（Ｃｏｍｐａｃｔ  Ｄｉｓｃ  Ｒｅａｄ  Ｏｎｌｙ  Ｍｅｍｏｒｙ）や半導体メモリなどのコンピュータ読取可能な記録媒体に記憶されているものをインストールしたものであっても、インターネットなどの伝送媒体を介してサーバ装置などからダウンロードしたものであってもよい。
【００３８】
また、ナビゲーション本体２のメモリ４６に記憶されるプログラムおよび上述した各種のデータは、その一部あるいは全部が、マイクロコンピュータ４４外のたとえばＨＤＤなどの外部記憶デバイスや、ナビゲーション本体２と着脱可能なたとえばメモリカードやＣＤ−ＲＯＭなどに記憶されていてもよい。特に、変換テーブル４８や変換部５７用のプログラムは、マニュアル４の印刷内容と密接に関連するので、ナビゲーション本体２から着脱可能なメモリカードに記憶され、マニュアル４とともにユーザへ提供されるようにしてもよい。
【００３９】
設定データ５１は、ナビゲーション本体２の各種の設定値を有する。ナビゲーション本体２の各種の設定値としては、たとえば、地図表示を二次元あるいは三次元に指定する設定値、三次元地図表示における俯角の設定値などがある。ナビゲーション本体２は、この設定データ５１にしたがって表示処理などを実行する。
【００４０】
図４は、図３中の画面データベース４９のデータ構造を示す説明図である。画面データベース４９は、液晶デバイス４２に表示される複数の表示画面のデータを有する。複数の表示画面には、たとえば、設定項目を選択するための設定項目選択画面６１、表示する地図を二次元とするかあるいは三次元とするかを選択させるための表示地図設定画面（設定画面）６２、三次元地図表示における俯角を設定するための俯角設定画面（設定画面）６３などがある。表示地図設定画面６２や俯角設定画面６３は、設定画面の一種である。なお、設定項目選択画面６１は、設定項目を選択するための画面であり、この画面において設定値の設定操作はなされない。また、俯角設定画面６３などの設定画面は、ユーザによる設定値入力操作に応じて、画面に表示されている設定項目の設定値の設定（更新）がなされる。
【００４１】
また、画面データベース４９は、各表示画面のデータと対応付けて、互いの画面を識別するための画面ＩＤ（Ｉｄｅｎｔｉｆｙ）番号を有する。図４の画面データベース４９では、設定項目選択画面６１に「１００」が対応付けられ、表示地図設定画面６２に「１１０」が対応付けられ、俯角設定画面６３に「１８１」が対応付けられている。
【００４２】
図５は、複数の表示画面間の切替関係を示す図である。図５の最上段にある表示画面はナビゲーション画面６０である。ナビゲーション画面６０には、車両の現在位置マークと地図とが重ねて表示されている。図５の中段にある表示画面は、図４の画面データベース４９に記憶される設定項目選択画面６１である。図５の中段にある２つの表示画面は、図４の画面データベース４９に記憶される表示地図設定画面６２および俯角設定画面６３である。
【００４３】
図３中の切替テーブル５０は、図５に示すような、複数の表示画面間の切替関係に関する情報を有する。すなわち、切替テーブル５０は、設定ボタン７１（図１のナビゲーション本体２の正面右側に配列されるボタンの中の１つのもの）が操作された場合に、表示画面を設定項目選択画面６１へ切り替えるための切替関係情報（画面ＩＤ番号：１００など）や、設定項目選択画面６１中の表示地図ボタン７２が操作された場合に、表示画面を表示地図設定画面６２へ切り替えるための切替関係情報（画面ＩＤ番号：１１１など）や、設定項目選択画面６１中の俯角ボタン７３が操作された場合に、表示画面を俯角設定画面６３へ切り替えるための切替関係情報（画面ＩＤ番号：１８１など）などを有する。
【００４４】
制御手段および設定手段としての制御部５８は、設定データ５１などに基づいて、ナビゲーション本体２の全体の動作を管理し、制御するものである。そして、制御部５８は、たとえば、入力デバイス４３や変換部５７などから表示画面の切替コマンド（切替指示）などが供給されると、それを解釈する。また、制御部５８は、切替テーブル５０を参酌して、その解釈に応じた表示画面のデータを画面データベース４９から選択して読み込み、読み込んだ表示画面のデータによる表示画面を液晶デバイス４２に表示させる。この他にもたとえば、制御部５８は、入力デバイス４３や変換部５７から設定値が供給されると、その設定値で設定データ５１を更新する。
【００４５】
取得手段としての受信部５６は、ナビゲーション本体２の通信Ｉ／Ｆ４１による通信を管理する。受信部５６は、ナビゲーション本体２の通信Ｉ／Ｆ４１が電子ペン３の通信Ｉ／Ｆ２３からデータを受信すると、そのデータをメモリ４６に保存する。これにより、メモリ４６には、受信データ４７が記憶される。なお、ナビゲーション本体２の通信Ｉ／Ｆ４１が電子ペン３の通信Ｉ／Ｆ２３から読取データ２８を受信した場合、メモリ４６には、読取データ２８と同一内容の受信データ４７が記憶されることになる。読取データ２８は、読取座標値と読取時刻情報とを有する。
【００４６】
図６は、図３中の変換テーブル４８のデータ構造を示す説明図である。変換テーブル４８は、画面データベース４９中の複数の画面ＩＤ番号の中の一部を有する。変換テーブル４８は、具体的にはたとえば、表示地図設定画面６２や俯角設定画面６３などの各種の設定画面の画面ＩＤ番号を有する。
【００４７】
また、変換テーブル４８は、各設定画面の画面ＩＤ番号と対応付けて、読取座標値の範囲を示す範囲情報を有する。図６の変換テーブル４８は、たとえば、表示地図設定画面６２に対応する範囲情報として、図２の目次の紙面における座標値範囲「（ｘ１１，ｙ１１）−（ｘ１２，ｙ１２）」を有し、俯角設定画面６３に対応する範囲情報として、図２の目次の紙面における座標値範囲「（ｘ２１，ｙ２１）−（ｘ２２，ｙ２２）」を有する。
【００４８】
なお、変換テーブル４８において、設定画面の画面ＩＤ番号と範囲情報とは、１対多の対応関係であってもよい。すなわち、１つの設定画面の画面ＩＤ番号に対して、マニュアル４の複数の紙面の複数の座標値範囲が対応付けられていてもよい。
【００４９】
選択手段および読取指示供給手段としての変換部５７は、メモリ４６に読取データ２８としての受信データ４７が記憶されている場合に、この受信データ４７からコマンドやデータ（たとえば緯度経度値）を生成する。たとえば、変換部５７は、メモリ４６にマニュアル４を読み取ったときの読取データ２８が記憶されている場合、この読取データ２８および変換テーブル４８を用いてコマンドを生成する。この他にもたとえば、変換部５７は、メモリ４６に地図帳を読み取ったときの読取データ２８が記憶されている場合、この読取データ２８から電子ペン３により選択された地点の緯度経度値を生成する。変換部５７は、生成したコマンドやデータを制御部５８へ供給する。
【００５０】
次に、以上の構成を有するカーナビゲーションシステム１の動作を説明する。以下の説明では、主に、通信ケーブル５により電子ペン３をナビゲーション本体２に接続した状態で、ユーザが電子ペン３によりマニュアル４を読み取り、これによりナビゲーション本体２へ各種の設定を行う場合の動作を説明する。
【００５１】
ユーザがＵＳＢケーブルなどの通信ケーブル５により電子ペン３とナビゲーション本体２とを接続すると、電子ペン３の通信Ｉ／Ｆ２３と、ナビゲーション本体２の通信Ｉ／Ｆ４１とは、互いに通信可能になる。
【００５２】
また、たとえば、マニュアル４の紙面を電子ペン３によりなぞると、電子ペン３の赤外線カメラ２２は、図２の紙面により反射された赤外線を受光し、赤外線のパターンデータを周期的に出力する。赤外線は、図２（Ｂ）のドットパターン１２により吸収される。座標読取部２９は、赤外線カメラ２２から周期的に供給されるパターンデータを解析し、電子ペン３が読み取ったドットパターン１２をデコードして読取座標値を生成する。座標読取部２９は、生成した読取座標値に、タイマ２６で計測される現在時刻とを対応付けて、メモリ２７に記憶させる。これにより、メモリ２７には、電子ペン３により読み取られた位置に印刷されるドットパターン１２にコード化された座標値を有する読取データ２８が記憶される。
【００５３】
メモリ２７に新しい読取データ２８が記憶されると、電子ペン３の送信部３０は、このデータを読み込んで、送信データとして通信Ｉ／Ｆ２３へ供給する。電子ペン３の通信Ｉ／Ｆ２３は、供給された送信データを、通信ケーブル５を介してナビゲーション本体２の通信Ｉ／Ｆ４１へ送信する。ナビゲーション本体２の受信部５６は、通信Ｉ／Ｆ４１が受信したデータを取得し、メモリ４６に保存する。これにより、ナビゲーション本体２のメモリ４６には、電子ペン３において生成された読取データ２８と同じデータが、受信データ４７として記憶される。
【００５４】
図７は、メモリに新しい受信データ４７が記憶された場合に、図３中の変換部５７が実行する変換処理の流れを示すフローチャートである。なお、変換部５７は、たとえば受信部５６によるプログラム間通信による呼出しなどに基づいて、図７の処理を開始する。そして、変換部５７は、読取データ２８が受信データ４７としてナビゲーション本体２のメモリ４６に記憶されると（ステップＳＴ１でＹｅｓ）、変換処理を開始する。
【００５５】
変換処理において、変換部５７は、まず、メモリ４６に記憶される受信データ４７が、マニュアル４を電子ペン３により読み取ったことによる読取データ２８であるか、あるいは、地図帳を電子ペン３により読み取ったことによる読取データ２８であるか、を判断する（ステップＳＴ２およびＳＴ３）。そして、そのいずれの読取に基づくものでない場合には、変換部５７は、変換処理を終了する。
【００５６】
なお、たとえばマニュアル４に印刷されるドットパターン１２による座標値範囲と、地図帳に印刷されるドットパターン１２による座標値範囲とが互いに重ならない場合には、変換部５７は、その座標値の絶対値に基づいて、メモリ４６に記憶されている受信データ４７が、マニュアル４を電子ペン３により読み取ったことによる読取データ２８であるか、あるいは、地図帳を電子ペン３により読み取ったことによる読取データ２８であるかを判断すればよい。この他にもたとえば、変換部５７は、ナビゲーション本体２に対する操作に基づいて、メモリ４６に記憶されている受信データ４７が、マニュアル４を電子ペン３により読み取ったことによる読取データ２８であるか、あるいは、地図帳を電子ペン３により読み取ったことによる読取データ２８であるかを判断するようにしてもよい。
【００５７】
メモリ４６に記憶される受信データ４７がマニュアル４を読み取った読取データ２８である場合（ステップＳＴ２でＹｅｓ）、変換部５７は、受信データ４７から読取座標値を取得し、取得した読取座標値を変換テーブル４８と照合する。そして、変換テーブル４８中に、取得した読取座標値を含む座標値範囲情報が存在する場合、変換部５７は、変換テーブル４８において、その適合する座標値範囲情報に対応付けられている設定画面の画面ＩＤ番号を選択する（ステップＳＴ４）。変換部５７は、表示画面を、選択した設定画面の画面ＩＤ番号の画面へ切り替える切替コマンドを生成し、制御部５８へ供給する（ステップＳＴ５）。
【００５８】
図８は、画面の切替コマンドが供給された場合に図３中の制御部５８が実行する表示切替処理の流れを示すフローチャートである。
【００５９】
切替コマンドが供給されると（ステップＳＴ１１でＹｅｓ）、制御部５８は、まず、その切替コマンドが変換部５７からのものであるか否かを判断する（ステップＳＴ１２）。この実施の形態において制御部５８へ切替コマンドを供給するものとしては、変換部５７と、入力デバイス４３とがある。
【００６０】
先の図７の処理に基づいて変換部５７が制御部５８へ切替コマンドを供給した場合（ステップＳＴ１２でＹｅｓ）、制御部５８は、切替コマンドの供給元が変換部５７であると判断し、この切替コマンドに基づく画面の切替処理を開始する。
【００６１】
変換部５７からの切替コマンドに基づく画面の切替処理において、制御部５８は、まず、切替コマンドから画面ＩＤ番号を抽出する。次に、制御部５８は、画面データベース４９から、抽出した画面ＩＤ番号に対応付けられている表示画面のデータを読み込む。また、制御部５８は、読み込んだ表示画面のデータを、液晶デバイス４２へ供給する。これにより、液晶デバイス４２には、ユーザが電子ペン３により読み取った位置に印刷されていた記事に対応する表示画面が表示される（ステップＳＴ１３）。
【００６２】
たとえば、ユーザが、図２（Ａ）の目次中の「俯角設定」の文字付近を電子ペン３によりなぞると、電子ペン３の座標読取部２９は、その読取位置に印刷されているドットパターン１２から読取座標値を生成する。この読取座標値は、読取データ２８としてナビゲーション本体２のメモリ４６に記憶される。そして、変換部５７は、図７のフローチャートにしたがって図６の変換テーブル４８から画面ＩＤ番号「１８１」を選択する。また、制御部５８は、その画面ＩＤ番号「１８１」を用いて図４の画面データベース４９から俯角設定画面６３のデータを読み込み、液晶デバイス４２に表示させる。
【００６３】
これにより、液晶デバイス４２には、図５の右下に図示される俯角設定画面６３が表示される。液晶デバイス４２は、それまでに表示していた画面に関係なく、図５の右下の俯角設定画面６３を表示することができる。ナビゲーション本体２に表示される画面は、たとえば、図５の最上段のナビゲーション画面６０から、俯角設定画面６３へダイレクトに切り替わることになる。
【００６４】
これに対して、図８に示すように、入力デバイス４３から表示画面の切替コマンドが供給された場合、制御部５８は、切替コマンドの供給元が入力デバイス４３であると判断し（ステップＳＴ１２でＮｏ）、この切替コマンドに基づく画面の切替処理を開始する。
【００６５】
入力デバイス４３からの切替コマンドに基づく画面の切替処理において、制御部５８は、まず、たとえば表示画面中のどのボタン（たとえば図５中段の設定項目選択画面６１における俯角ボタン７３）が選択されたのかを特定する。そして、制御部５８は、特定したボタンを切替テーブル５０に照合し、その特定したボタンに対応付けられている表示画面のデータ（画面ＩＤ番号：１８１など）を読み込み、液晶デバイス４２に表示させる（ステップＳＴ１４）。
【００６６】
このように入力デバイス４３による表示切替においては、制御部５８は、図５に示すように切替テーブル５０において予め設定された切替順で表示画面を切り替える。ナビゲーション本体２に表示される画面は、たとえば、図５の最上段のナビゲーション画面６０の表示中に設定ボタン７１が操作され、さらに設定項目選択画面６１において俯角ボタン７３が操作されることで、俯角設定画面６３へ切り替わる。
【００６７】
そして、俯角設定画面６３が表示されている状態において、ユーザが入力デバイス４３に対して俯角の設定値（たとえば「６０」度）を入力すると、入力デバイス４３は、この操作に対応する入力データを制御部５８へ供給する。制御部５８は、この入力データに基づいて俯角６０度の設定値を生成し、メモリ４６に記憶される設定データ５１を更新する。これにより、メモリ４６中の設定データ５１には俯角６０度の設定値が設定され、制御部５８は、次の三次元のナビゲーション画面６０を生成する際にこの設定データ５１を参照し、俯角６０度で俯瞰するナビゲーション画面６０を生成する。
【００６８】
図７の変換部５７の処理フローの説明に戻る。メモリ４６に記憶される受信データ４７が地図帳を読み取った読取データ２８である場合（ステップＳＴ３でＹｅｓ）、変換部５７は、受信データ４７から読取座標値を取得し、取得した読取座標値を、電子ペン３により読み取られた地点の緯度経度値へ変換する（ステップＳＴ６）。変換部５７は、変換により生成した緯度経度値を制御部５８へ供給する（ステップＳＴ７）。
【００６９】
緯度経度値が供給されると、制御部５８は、その緯度経度値をたとえば経路探索の目的地の緯度経度値として用いて案内経路を探索する。制御部５８は、たとえば現在地からその緯度経度値の地点までに至る案内経路を、設定データ５１に含まれる探索条件にしたがって探索する。また、制御部５８は、探索した案内経路を液晶デバイス４２に表示させる。
【００７０】
その後、ナビゲーション本体２が設置された車両が移動を開始したり、あるいは、ナビゲーション本体２の入力デバイス４３に対して所定の案内開始操作がなされたりすると、制御部５８は、探索済みの案内経路による経路案内を開始する。制御部５８は、探索済みの案内経路と、車両の現在位置と、地図とを重ね合わせたナビゲーション画像を生成し、液晶デバイス４２に表示させる。また、制御部５８は、車両の現在位置が案内経路の曲がり角などに近づくとその旨を音声などにより報知し、経路を案内する。制御部５８は、案内経路の終点に到達したと判断すると、経路案内を終了する。
【００７１】
以上のように、この実施の形態のカーナビゲーションシステム１は、入力デバイス４３に対するユーザ操作に応じて液晶デバイス４２に表示する画面を切り替える。そして、マニュアル４が電子ペン３により読み取られると、受信部５６は、その読取位置を示す読取座標値を受信し、変換部５７は、メモリ４６に記憶される変換テーブル４８を参照してその読取位置に掲載される記事に対応する設定画面のデータを選択し、さらに、制御部５８は、その選択された設定画面を液晶デバイス４２に表示させる。
【００７２】
したがって、ユーザは、電子ペン３によりマニュアル４中の記事を選択するだけで、その記事の設定画面を表示させ、その設定画面において設定値を入力するための操作をすることができる。ユーザは、カーナビゲーションシステム１において、その記事に係る所望の項目の設定画面が表示されるように、液晶デバイス４２の表示画面を切り替える操作をする必要がない。ユーザは、カーナビゲーションシステム１における表示画面の切り替え設定に関係なく、容易且つ迅速に画面を切り替えて設定操作をすることができる。
【００７３】
つまり、カーナビゲーションシステム１には互いに関連性の無い各種の設定が可能であるが、ユーザは、各設定項目を容易且つ迅速に設定することができる。ユーザは、マニュアル４を参照しながらカーナビゲーションシステム１の表示画面を切り替える操作をすることなく、容易且つ迅速に画面を切り替えて設定操作をすることができる。
【００７４】
また、カーナビゲーションシステム１に付属するマニュアル４には、実際の設定項目についての解説のみを掲載すればよく、マニュアル４において、各設定項目を表示させるための操作などを掲載する必要が無くなる。その結果、マニュアル４を設定項目の説明のみとして、その厚さを薄くすることができる。ユーザにとってマニュアル４が参照し易くなり、車内に常備しやすくなる。
【００７５】
以上の実施の形態は、本発明の好適な実施の形態の例であるが、本発明は、これに限定されるものではなく、発明の要旨を逸脱しない範囲において種々の変形や変更が可能である。
【００７６】
上記実施の形態では、制御部５８は、液晶デバイス４２に設定画面が表示されている状態において、入力デバイス４３からの入力データに基づいて設定値を生成している。この他にもたとえば、制御部５８は、液晶デバイス４２に設定画面が表示されている状態において、受信部５６が受信した受信データ４７に基づいて設定値を生成するようにしてもよい。
【００７７】
図９は、マニュアル４に掲載される俯角の設定ページ１１の可読記事を示す説明図である。この俯角の設定ページ１１では、この可読記事と重ねてドットパターン１２が印刷される。図９の俯角の設定ページ１１の上段には、２マスの数値記入欄８１が印刷されている。ユーザは、電子ペン３を用いてこの数値記入欄８１に俯角の値を書き込む。また、設定ページ１１の中段には、俯角の程度を選択するための「ライト」、「ミドル」および「ディープ」の文字列８２が印刷されている。ユーザは、電子ペン３を用いてこの３つの文字列８２の中の１つを丸で囲む。さらに、設定ページ１１の下段には、俯角の方向を記入する図形入力欄８３が印刷されている。ユーザは、電子ペン３を用いて図形入力欄８３内に俯角の方向を示す矢印などを記入する。
【００７８】
電子ペン３を用いてこのいずれかの欄への書き込みがなされると、電子ペン３の座標読取部２９は、この文字の筆跡（軌跡）を示す複数の読取座標値を有する読取データ２８を生成し、送信部３０は、この読取データ２８をナビゲーション本体２の受信部５６へ送信する。これにより、ナビゲーション本体２には、設定値を指定する文字の筆跡（軌跡）を示す読取データ２８が受信データ４７として記憶される。
【００７９】
また、ナビゲーション本体２の変換部５７は、受信データ４７が設定値を指定する文字の軌跡であると判断し、複数の読取座標値を仮想二次元空間にマッピングすることでその文字を再現し、その再現筆跡から設定値を特定する。制御部５８は、この変換部５７により特定された設定値により、メモリ４６に記憶される設定データ５１を更新する。
【００８０】
なお、変換部５７は、たとえば受信データ４７がマニュアル４を読み取ったものであり、且つ、変換テーブル４８中に対応する座標値範囲が無い場合に、設定値を指定する文字の軌跡であると判断すればよい。
【００８１】
この変形例の場合、ユーザは電子ペン３のみを用いて設定操作を効率良く行うことができる。たとえば、ユーザは、マニュアル４で１つの設定項目を選択し、その設定値をマニュアル４に書込み、さらに次の設定項目を選択する操作を不断に（連続的に）実行することができる。ユーザは、マニュアル４と電子ペン３とを用いることにより、関連性の無い複数の設定項目に対して連続的な操作により、設定値を設定することができる。
【００８２】
上記実施の形態では、変換部５７は、受信データ４７および変換テーブル４８を用いて、電子ペン３により読み取られた記事に対応する設定画面の画面ＩＤ番号を選択すると、その画面ＩＤ番号の設定画面を表示させるための切替コマンド（切替指示）を制御部５８へ供給している。この他にもたとえば、変換部５７は、設定画面の画面ＩＤ番号を選択した後、切替テーブル５０にしたがって現在の表示画面からその画面ＩＤ番号の設定画面へ順番に切り替えるための１または複数の切替コマンド（切替指示）を制御部５８へ供給するようにしてもよい。
【００８３】
たとえば、変換部５７は、画面ＩＤ番号「１８１」を選択した後、図５の最上段のナビゲーション画面６０から右下の俯角設定画面６３まで切り替えるための２つの切替コマンドを制御部５８へ供給するようにしてもよい。この場合、制御部５８は、液晶デバイス４２の表示画面を、まず、図５の最上段のナビゲーション画面６０から中段の設定項目選択画面６１へ切り替え、次に、設定項目選択画面６１から俯角設定画面６３へ切り替えることになる。
【００８４】
すなわち、制御部５８は、変換部５７の複数の切替コマンドに基づいて液晶デバイス４２に表示させる画面を複数回切り替え、その切り替わりが終えた時点で、変換部５７により選択された設定画面を液晶デバイス４２に表示させることになる。
【００８５】
この変形例の場合、制御部５８は、切替テーブル５０に基づいて画面を切り替えるものとすることができる。したがって、切替テーブル５０に基づいて画面を切り替える制御部５８を有する従来のカーナビゲーションシステム１に対して、変換部５７などを追加することで、電子ペン３によるマニュアル４の読取操作に基づく画面切替を実現することができる。
【００８６】
さらにこの変形例において、制御部５８は、変換部５７による複数の切替指示の処理中には、入力デバイス４３による切替指示を無効とするようにしてもよい。この更なる変形例の場合、ユーザが、電子ペン３による切替操作に続けて入力デバイス４３に対して操作をしたとしても、それらの操作後に最終的に表示される画面を、電子ペン３による切替操作により指定した設定画面とすることができる。
【００８７】
上記実施の形態では、制御部５８は、入力デバイス４３から画面の切替コマンドが供給された場合、切替テーブル５０を参照して切替後の表示画面を特定し、さらにその表示画面を画面データベース４９から読み込んで、液晶デバイス４２に表示させている。この他にもたとえば、画面データベース４９において各画面中に表示する各ボタンに対して、そのボタンが操作された場合に表示すべき他の表示画面へのリンク情報（たとえば画面ＩＤ番号など）を付加し、制御部５８は、この付加されたリンク情報を用いて切替後の表示画面を特定するようにしてもよい。また、画面ＩＤ番号の替わりに、各表示画面のデータを格納するファイル名などをリンク情報として使用するようにしてもよい。
【００８８】
上記実施の形態では、ユーザによる設定値入力を、設定画面による所定の位置への設定値入力としたが、電子ペン３に設ける切り替えのためのスイッチや、マニュアル４に設けられたモードに対応付けられたのドットパターンによる切り替えなどにより、マニュアル４における設定画面呼び出し及び設定値入力とのモードを切り替えても良い。このように切り換えた場合、設定値の入力は設定画面の所定位置に限らず、ドットパターン１２を有し電子ペン３による軌跡情報を得ることができれば、マニュアルのどの位置でも構わず、さらには他の入力用シートなどを用いてもよい。
【００８９】
上記実施の形態では、紙面中の位置を示す座標値は、ドットパターン１２にコード化されている。この他にもたとえば、紙面中の位置を示す座標値は、ＱＲ（Ｑｕｉｃｋ  Ｒｅｓｐｏｎｓｅ）コード、バーコードなどにコード化されていてもよい。また、これら電子ペン３で読取可能なパターンには、複数ページにおいて共通する１つの座標系での座標値がコード化されていてもよい。
【００９０】
上記実施の形態では、マニュアル４などに印刷されたドットパターン１２は、電子ペン３により読み取られている。この他にもたとえば、マニュアル４などに印刷されたパターンは、カメラ付きの携帯電話端末や携帯情報端末などの読取手段により読み取られるようにしてもよい。
【００９１】
上記実施の形態では、変換テーブル４８などは、ナビゲーション本体２のメモリ４６に記憶され、変換部５７などは、ナビゲーション本体２において実現されている。これらは、電子ペン３、携帯電話端末、携帯情報端末、パーソナルコンピュータ、あるいはナビゲーション本体２と通信可能な別体のユニットなどに設けられていてもよい。また、携帯電話端末、携帯情報端末、パーソナルコンピュータなどは、ドットパターン１２などを読み取る機能を兼ね備えていてもよい。
【００９２】
上記実施の形態では、カーナビゲーションシステム１のマニュアル４を電子ペン３で読み取り、設定画面へのダイレクトな切り替えを実現している。この他にもたとえば、マニュアル４は、携帯電話機、ポータブルプレーヤ、ＡＶ（Ａｕｄｉｏ  Ｖｉｓｕａｌ）機器、通信機器、ネットワーク機器、セットアップ済みのコンピュータ端末などのものであり、電子ペン３は、これらのマニュアル４を読み取り、各種の設定画面へのダイレクトな切り替えを実現するようにしてもよい。
【産業上の利用可能性】
【００９３】
本発明は、多機能なカーナビゲーションシステムの設定値を変更する際などにおいて好適に利用することができる。
【図面の簡単な説明】
【００９４】
【図１】図１は、本発明の実施の形態に係るカーナビゲーションシステムを示すシステム構成図である。
【図２】図２は、図１中のマニュアルの目次ページの説明図である。
【図３】図３は、図１のカーナビゲーションシステムの詳細な構成を示すブロック図である。
【図４】図４は、図３中の画面データベースのデータ構造を示す説明図である。
【図５】図５は、複数の表示画面間の切替関係を示す図である。
【図６】図６は、図３中の変換テーブルのデータ構造を示す説明図である。
【図７】図７は、図３中の変換部が実行する変換処理の流れを示すフローチャートである。
【図８】図８は、図３中の制御部が実行する表示切替処理の流れを示すフローチャートである。
【図９】図９は、マニュアルの俯角設定ページの説明図である。
【符号の説明】
【００９５】
１  カーナビゲーションシステム（電子機器）
３  電子ペン（読取手段）
４  マニュアル
４２  液晶デバイス（表示手段）
４３  入力デバイス（入力手段）
４６  メモリ（記憶手段）
５６  受信部（取得手段）
５７  変換部（選択手段、読取指示供給手段）
５８  制御部（制御手段、設定手段）
６２  表示地図設定画面（設定画面）
６３  俯角設定画面（設定画面）
【図１】
2008299469.tif 000003
【図２】
2008299469.tif 000004
【図３】
2008299469.tif 000005
【図４】
2008299469.tif 000006
【図５】
2008299469.tif 000007
【図６】
2008299469.tif 000008
【図７】
2008299469.tif 000009
【図８】
2008299469.tif 000010
【図９】
2008299469.tif 000011